(57)【要約】【課題】撮像装置において、表示ユニットを大型化することなく、効率的に表示装置を冷却すること。【解決手段】表示装置と表示装置に接続される表示基板と表示装置の熱を移送するためのペルチェ素子と外装カバーを有する表示ユニットと、表示ユニットを回転可能に本体に収納されるヒンジユニットを有する撮像装置において、ペルチェ素子は、表示基板の切り欠き部かつ表示装置と外装カバーの間に配されていることを特徴とする。【選択図】図３
2019179948.tif 000002
【特許請求の範囲】
【請求項１】
表示装置と表示装置に接続される表示基板と表示装置の熱を移送するためのペルチェ素子と外装カバーを有する表示ユニットと、表示ユニットを回転可能に本体に収納されるヒンジユニットを有する撮像装置において、
前記ペルチェ素子は前記基板の切り欠き部かつ前記表示装置と前記外装カバーの間に配されていることを特徴とする撮像装置。
【請求項２】
前記ヒンジユニットにより前記表示ユニットが撮像装置本体へ反転収納された状態において、前記ペルチェ素子と相対する位置から、前記表示ユニットと前記撮像装置本体との接触部は離間した位置にあることを特徴とする請求項１に記載の撮像装置。
【請求項３】
前記ペルチェ素子と相対する位置に前記撮像装置本体の凹座部が配置されていることを特徴とする請求項１に記載の撮像装置。
【請求項４】
前記ペルチェ素子と相対する位置に前記撮像装置本体の空冷ファン開口部が配置されていることを特徴とする請求項１に記載の撮像装置。
【発明の詳細な説明】
【技術分野】
【０００１】
本発明は、反転収納可能な表示ユニットを有する撮像装置に関する。
【背景技術】
【０００２】
昨今、多機能化や技術の進歩により撮像装置本体の消費電力は増大傾向にある。そして同様に、撮像装置に接続されている表示装置においても、高輝度化が進むことで消費電力が増大している。
【０００３】
ここで、撮像装置においては、表示装置は撮像装置本体から独立した構造となっているため、撮像装置本体の空冷ファンや冷却フィンなどの冷却機構と直接接続できない。よって、消費電力が高く高温となっている表示装置を冷却することは困難な状態となってしまっているのが現状である。そのため、早急に効率的な表示装置の冷却手法を確立することが望まれている。ここで、特許文献１に示した通り、液晶パネルの表示面の側方にペルチェ素子とヒートシンクを配置して液晶パネルを冷却する手法が提案されている。
【先行技術文献】
【特許文献】
【０００４】
【特許文献１】特開２００５−２５０２４９号公報
【発明の概要】
【発明が解決しようとする課題】
【０００５】
ここで、特許文献１に示した構成をとった場合、液晶パネルの側方にヒートシンクを配置しているため、ヒートシンクの容量の分、液晶パネルユニットが大型化してしまうという問題がある。
【０００６】
このように、液晶パネルユニット等に代表される表示ユニットを大型化することなく、効率的に表示装置を冷却する手法を確立することが課題である。
【０００７】
そこで、本発明は、上記課題を鑑み、表示ユニットを大型化することなく、効率的に表示装置を冷却する手法を確立することを目的としている。
【課題を解決するための手段】
【０００８】
上記の目的を達成するために、本発明に係る撮像装置は、
表示装置と表示装置に接続される表示基板と表示装置の熱を移送するためのペルチェ素子と外装カバーを有する表示ユニットと、表示ユニットを回転可能に本体に収納されるヒンジユニットを有する撮像装置において、前記ペルチェ素子は前記基板の切り欠き部かつ前記表示装置と前記外装カバーの間に配されていることを特徴としている。
【０００９】
また、本発明に係る撮像装置は、前記ヒンジユニットにより前記表示ユニットが撮像装置本体へ反転収納された状態において、前記ペルチェ素子と相対する位置から、前記表示ユニットと前記撮像装置本体との接触部は離間した位置にあることを特徴としている。
【００１０】
また、本発明に係る撮像装置は、前記ペルチェ素子と相対する位置に前記撮像装置本体の凹座部が配置されていることを特徴としている。
【００１１】
また、本発明に係る撮像装置は、前記ペルチェ素子と相対する位置に前記撮像装置本体の空冷ファン開口部が配置されていることを特徴としている。
【発明の効果】
【００１２】
本発明に係る撮像装置によれば、表示基板の切り欠き部にペルチェ素子を配置することで、表示ユニットを大型化することなく表示装置を効率的に冷却することができる。
【図面の簡単な説明】
【００１３】
【図１】本発明の実施例における撮像装置のブロック図
【図２ａ】本発明の実施例における撮像装置の外観斜視図
【図２ｂ】本発明の実施例における表示ユニットを開いた状態の撮像装置の外観斜視図
【図２ｃ】本発明の実施例における表示ユニットを反転収納した状態の撮像装置の外観斜視図
【図３】本発明の実施例における外装カバーを非図示にした状態での表示ユニット内の部品配置を示す図
【図４】本発明の実施例における表示ユニット水平方向の断面図
【図５】本発明の実施例における表示ユニットを反転収納した状態での撮像装置の垂直方向の断面図
【図６】本発明の実施例における表示ユニットを反転収納した状態での、ペルチェ素子と撮像装置本体の外装部の凹座との位置関係を説明するための撮像装置の垂直方向の断面図
【図７】本発明の実施例における表示ユニットを反転収納した状態での、ペルチェ素子と撮像装置本体の空冷ファン開口部との位置関係を説明するための撮像装置の垂直方向の断面図
【発明を実施するための形態】
【００１４】
以下、本発明の好適な一実施形態について、撮像装置に本発明を適用し、図面を参照しながら詳細に説明する。なお、説明に関しては、本発明に関連する部分を中心に説明を行い、発明と直接関連しない部分に関しては非図示とし説明を省略している。
【実施例】
【００１５】
（撮像装置のブロック図の説明）
以下、本発明の実施形態を説明する。
【００１６】
図１は、本発明の実施例における撮像装置１の構成を示すブロック図である。
【００１７】
図１に示すように、撮像装置１は、レンズ部３０と、光量調節部４１と、センサ部３８と、本体制御部４０と、表示ユニット４３と、表示装置４４と、ペルチェ素子４５と、電源部４２と、操作部３９と、記録メディア３２等からなる。
【００１８】
レンズ部３０に入射した被写体光は、光量調節部４１を通過し、センサ部３８の撮像素子に結像して光電変換される。ここで、被写体光は、レンズ部３０内にある絞りユニットや切り替え式のＮＤ（Ｎｅｕｔｒａｌ  Ｄｅｎｓｉｔｙ）フィルタに代表される光量調節部４１により光量が調節される光量調節手段により、加工された状態で、センサ部３８に届くこととなる。
【００１９】
操作部３９は、撮影者が操作を行う、例えば記録開始スイッチなどが含まれる。操作部３９が操作されると、その情報は本体制御部４０へ伝達され、本体制御部４０はこの操作情報を元に記録開始等の撮影制御を行う。
【００２０】
本体制御部４０は、画像・音声情報の入出力、圧縮・変換等の画像処理、記録・再生等の録再処理等に代表される情報処理を行う。センサ部３８から本体制御部４０に画像情報が入力されると、本体制御部４０は、この画像情報に対して画像処理等の情報処理を行う。本体制御部４０は、伝達された画像情報に応じて、前述した通り、例えば絞りユニットを動作させ、撮像画像の明度の調整を行わせる等のレンズ部３０の制御を行う。撮影画像を記録する場合は、本体制御部４０が記録メディア３２へ画像情報を伝達し撮影画像を記録させる。
【００２１】
表示ユニット４３は、本体制御部４０からの指示に基づき、表示装置４４に撮影する被写体の画像の表示を行うことはもとより、撮影者が撮像装置を使用上発生する警告等、各種情報の表示を行う。
【００２２】
電源部４２はＤＣ端子やバッテリ端子等が含まれる。ＤＣ端子では、外部電源ケーブルを介して外部電源より電力を得ることが可能である。また、バッテリ端子では、電源ユニットのバッテリより電力を得ることが可能である。電源部４２で得られる電力は、本体制御部４０へ電送され、本体制御部４０により各駆動要素に適した電圧に電圧変換が行われた後、各駆動要素の電源として各駆動要素へ電送される。ここで、例えば、本体制御部４０により表示ユニット４３への電力の電送を制御することで、表示装置４４の電源のＯＮ／ＯＦＦが切り替わることとなる。
【００２３】
（表示ユニットを有する撮像装置外観の説明）
図２（ａ）は、本発明の実施例における撮像装置１の液晶ユニット４３を収納した状態の外観斜視図であり、図２（ｂ）は、表示ユニット４３を開いた状態の撮像装置１の外観斜視図であり、図２（ｃ）は、表示ユニット４３を反転収納した状態の撮像装置１の外観斜視図である。
【００２４】
図２（ａ）、（ｂ）、（ｃ）に示すように、撮像装置１は、表示ユニット４３と、回転ヒンジ５０と、外装カバー５１と、接触部５２等を有する。
【００２５】
ここで、図２（ａ）、（ｂ）、（ｃ）に示した通り、表示ユニット４３は撮像装置１の側方に配置されており、回転ヒンジ５０を介して撮像装置本体に接続されている。また、接触部５２は図２（ａ）において表示ユニット４３の表示面側と接触し、図２（ｃ）においては外装カバー５１と接触する配置となっている。また、図２（ｃ）に示したように、回転ヒンジ５０により、表示ユニット４３を撮像装置本体へ反転収納した状態で、表示ユニット４３の表示を使用者が確認することができる。
【００２６】
（表示ユニット内の部品配置の説明）
図３は外装カバーを非図示にした状態での表示ユニット４３内の部品配置を示す図であり、図４は、外装カバーを図示した状態での表示ユニット４３の水平方向の断面図である。  図３及び図４に示すように、表示ユニット４３は、表示装置４４と表示装置４４に接続される表示基板４６と表示装置４４の熱を移送するためのペルチェ素子４５と外装カバー５１を有する。
【００２７】
ここで、図３及び図４に示した通り、表示基板４６は、その一部を切り欠いており、この切り欠き部４７にペルチェ素子４５を配置している。そしてペルチェ素子４５は、表示装置４４と外装カバー５１の間に配されており、表示装置４４で発生した熱を外装カバー５１へ運ぶことで、表示装置４４の熱を外装カバー５１へ放熱する役割を果たしている。
【００２８】
（表示ユニット４３を反転収納した状態での撮像装置１の断面図の説明）
図５は、表示ユニット４３を反転収納した状態での撮像装置１の垂直方向の断面図である。
【００２９】
図５に示した通り、表示ユニット４３の外装カバー５１は撮像装置本体と接触部５２において接触する。
【００３０】
ここで、ペルチェ素子４５と相対する位置から、表示ユニット４３と撮像装置本体との接触部５２は離間した位置にある。これにより、ペルチェ素子４５により表示ユニット４３の外装カバー５１へ伝えられた熱は、撮像装置本体の熱にあぶられることなく、効率的に外気へ放熱される。よって、表示装置４４を効率的に冷却することができる。
【００３１】
（表示ユニット４３を反転収納した状態での、ペルチェ素子４５と撮像装置本体の外装部の凹座との位置関係を説明する撮像装置１の断面図）
図６は、表示ユニット４３を反転収納した状態での、ペルチェ素子４５と撮像装置本体の外装部の凹座５３との位置関係を説明するための撮像装置１の垂直方向の断面図である。
【００３２】
図６に示した通り、ペルチェ素子４５と相対する位置に撮像装置本体の凹座５３が配置されている。これにより、ペルチェ素子４５が放熱する外装カバー５１と凹座５３に空間が生じることとなる。これにより、ペルチェ素子４５により表示ユニット４３の外装カバー５１へ伝えられた熱は、撮像装置本体の熱にあぶられることなく、効率的に外気へ放熱される。よって、表示装置４４を効率的に冷却することができる。
【００３３】
ここで、撮像装置本体の外装部の凹座５３は、外装部にある蓋の指座繰りや凹んだ蓋部などが考えられるが、この限りではない。
【００３４】
（表示ユニット４３を反転収納した状態での、ペルチェ素子４５と撮像装置本体の空冷ファン開口部５４との位置関係を説明する撮像装置１の断面図）
図７は、表示ユニット４３を反転収納した状態での、ペルチェ素子４５と撮像装置本体の空冷ファン開口部５４との位置関係を説明するための撮像装置１の垂直方向の断面図である。
【００３５】
図７に示した通り、ペルチェ素子４５と相対する位置に撮像装置本体の空冷ファン開口部５４が配置されている。これにより、ペルチェ素子４５と相対する位置の外装カバー５１が空冷ファンにより冷却されることとなる。これにより、ペルチェ素子４５により表示ユニット４３の外装カバー５１へ伝えられた熱は、空冷ファンにより効果的に冷却される。よって、表示装置４４を効率的に冷却することができる。
【００３６】
以上、説明した通り、表示基板４６の切り欠き部にペルチェ素子４５を配置することで、表示ユニット４３を大型化することなく表示装置４４を効率的に冷却することができる。また、表示ユニット４３を反転収納された状態において、ペルチェ素子４５と相対する位置から、表示ユニット４３と撮像装置本体との接触部５２を離間した位置にすることで、表示装置４４を効率的に冷却することができる。また、表示ユニット４３を反転収納された状態において、ペルチェ素子４５と相対する位置に撮像装置本体の凹座部○○を配置にすることで、表示装置４４を効率的に冷却することができる。また、表示ユニット４３を反転収納された状態において、ペルチェ素子４５と相対する位置に撮像装置本体の空冷ファン開口部５４を配置することで、表示装置４４を効率的に冷却することができる。
【００３７】
以上、ペルチェ素子４５の配置に関して、好適な実施形態を記述してきたが、これら特定の実施形態に限られるものではない。この発明の趣旨を逸脱しない範囲のさまざまな形態も本発明に含まれる。
【符号の説明】
【００３８】
１  撮像装置、
３０  レンズ部、３１  空冷ファン、３２  記録メディア、３８  センサ部、
３９  操作部、４０  本体制御部、４１  光量調節部、４２  電源部、
４３  表示ユニット、４４  表示装置、４５  ペルチェ素子、４６  表示基板、
４７  切欠き部、５０  回転ヒンジ、５１  外装カバー、５２  接触部、５３  凹座、
５４  空冷ファン開口部
【図１】
2019179948.tif 000003
【図２ａ】
2019179948.tif 000004
【図２ｂ】
2019179948.tif 000005
【図２ｃ】
2019179948.tif 000006
【図３】
2019179948.tif 000007
【図４】
2019179948.tif 000008
【図５】
2019179948.tif 000009
【図６】
2019179948.tif 000010
【図７】
2019179948.tif 000011